(57)【要約】【課題】  操作パネルの操作性が向上する研米機を得る。【解決手段】  乾式研米機１０では、操作パネル１５は、ケーシング１２の上壁１２Ｅへの取付方向が、ケーシング１２の前後左右のうちの何れか一方向へ向けて選択可能とされている。したがって、ケーシング１２の設置条件（設置方向）等に対応して、操作パネル１５の上壁１２Ｅへの取付方向を、ケーシング１２の前後左右のうちの選択した一方向に自由に変更できるので、ケーシング１２の設置条件に係わらず、操作パネル１５を常に手前側から操作できる。これにより、操作パネル１５の操作性が向上する。【選択図】  図１
2006081981.tif 000002
【特許請求の範囲】
【請求項１】
前後左右の側壁及び上壁を有する箱状に形成されたケーシングと、
前記ケーシング内に設けられ、供給された白米の表面付着糠を除去する研米機構と、
前記研米機構を作動させるスイッチが設けられると共に前記ケーシングの上壁に取り付けられ、前記取付方向が前記ケーシングの前後左右のうちの何れか一方向へ向けて選択可能な操作パネルと、
を備えた研米機。
【請求項２】
前後左右の側壁及び上壁を有する箱状に形成されたケーシングと、
前記ケーシング内に設けられ、供給された白米の表面付着糠を除去する研米機構と、
筒状に形成されて前記ケーシングの前側壁、左側壁、及び右側壁のうちの何れか１つに選択的に取り付けられ、下端部が前記研米機構に接続されると共に上端部が前記ケーシングの外側に露出し、当該上端部から投入された白米を前記研米機構に供給する投入樋と、
筒状に形成されて前記ケーシングの前側壁、後側壁、左側壁、及び右側壁のうちの何れか１つに選択的に取り付けられ、一端部が前記研米機構に接続されると共に他端部が前記ケーシングの外側に露出し、前記研米機構によって除去された糠を前記ケーシングの外側へ排出する糠排出管と、
筒状に形成されて前記ケーシングの前側壁、左側壁、及び右側壁のうちの何れか１つに選択的に取り付けられ、上端部が前記研米機構に接続されると共に下端部が前記ケーシングの外側に露出し、前記研米機構によって糠を除去された米粒を前記ケーシングの外側へ排出する排出樋と、
前記研米機構を作動させるスイッチが設けられると共に前記ケーシングの上壁に取り付けられ、前記取付方向が前記ケーシングの前後左右のうちの何れか一方向へ向けて選択可能な操作パネルと、
を備えた研米機。
【請求項３】
前記操作パネルは、奥側から手前側へ向けて下向きに傾斜している、ことを特徴とする請求項１記載又は請求項２記載の研米機。
【発明の詳細な説明】
【技術分野】
【０００１】
本発明は、白米をみがいて白米表面に付着している糠を取り除き、光沢のあるきれいな白米（さっと軽く洗うだけで炊飯できる白米）にする研米機に関する。
【背景技術】
【０００２】
従来、ブラシロール等を使用して研米処理する研米機が知られている（例えば、特許文献１参照）。このような研米機は、例えば、箱状のケーシングを備えており、ケーシングの前壁には、各種スイッチ類が配設された操作パネルが取り付けられている。
【０００３】
ところで、このような研米機を設置する場合、設置場所の条件に応じて装置（ケーシング）の向きを色々な向きに変えて設置したいという要請がある。しかしながら、上記構成の研米機では、上述の如く操作パネルの向きが一方向に設定されているため、ケーシングを設置する向きによっては、操作パネルの操作性が悪化することになる。
【特許文献１】特許第３１４２１４８号公報
【発明の開示】
【発明が解決しようとする課題】
【０００４】
本発明は、上記事実を考慮し、操作パネルの操作性が向上する研米機を得ることを目的とする。
【課題を解決するための手段】
【０００５】
上記課題を解決するために、請求項１に係る発明の研米機は、前後左右の側壁及び上壁を有する箱状に形成されたケーシングと、前記ケーシング内に設けられ、供給された白米の表面付着糠を除去する研米機構と、前記研米機構を作動させるスイッチが設けられると共に前記ケーシングの上壁に取り付けられ、前記取付方向が前記ケーシングの前後左右のうちの何れか一方向へ向けて選択可能な操作パネルと、を備えたことを特徴としている。
【０００６】
請求項１記載の研米機では、ケーシングの上壁に取り付けられた操作パネルのスイッチが操作されると研米機構が作動する。この状態で、研米機構に白米が供給されると研米機構によって白米の表面付着糠が除去される。
【０００７】
ここで、操作パネルは、ケーシング上壁への取付方向がケーシングの前後左右のうちの何れか一方向へ向けて選択可能とされている。したがって、ケーシングの設置条件（設置方向）等に対応して、操作パネルのケーシング上壁への取付方向を、ケーシングの前後左右のうちの選択した一方向に自由に変更できるので、ケーシングの設置条件に係わらず、操作パネルを常に手前側から操作できる。これにより、操作パネルの操作性が向上する。
【０００８】
請求項２に係る発明の研米機は、前後左右の側壁及び上壁を有する箱状に形成されたケーシングと、前記ケーシング内に設けられ、供給された白米の表面付着糠を除去する研米機構と、筒状に形成されて前記ケーシングの前側壁、左側壁、及び右側壁のうちの何れか１つに選択的に取り付けられ、下端部が前記研米機構に接続されると共に上端部が前記ケーシングの外側に露出し、当該上端部から投入された白米を前記研米機構に供給する投入樋と、筒状に形成されて前記ケーシングの前側壁、後側壁、左側壁、及び右側壁のうちの何れか１つに選択的に取り付けられ、一端部が前記研米機構に接続されると共に他端部が前記ケーシングの外側に露出し、前記研米機構によって除去された糠を前記ケーシングの外側へ排出する糠排出管と、筒状に形成されて前記ケーシングの前側壁、左側壁、及び右側壁のうちの何れか１つに選択的に取り付けられ、上端部が前記研米機構に接続されると共に下端部が前記ケーシングの外側に露出し、前記研米機構によって糠を除去された米粒を前記ケーシングの外側へ排出する排出樋と、前記研米機構を作動させるスイッチが設けられると共に前記ケーシングの上壁に取り付けられ、前記取付方向が前記ケーシングの前後左右のうちの何れか一方向へ向けて選択可能な操作パネルと、を備えたことを特徴としている。
【０００９】
請求項２記載の研米機では、ケーシングの上壁に取り付けられた操作パネルのスイッチが操作されると、ケーシング内に設けられた研米機構が作動する。この状態で、投入樋の上端部に白米が投入されると、この投入樋を介して研米機構に白米が供給され、研米機構によって白米の表面付着糠が除去される。除去された糠は、糠排出管を介してケーシングの外側へ排出され、糠を除去された米粒（研米）は、排出樋を介してケーシングの外側へ排出される。
【００１０】
ここで、投入樋及び排出樋は、ケーシングの前側壁、左側壁、及び右側壁のうちの何れか１つに選択的に取り付けられており、糠排出管は、ケーシングの前側壁、後側壁、左側壁、及び右側壁のうちの何れか１つに選択的に取り付けられている。したがって、本研米機（ケーシング）を設置する場合には、設置場所の条件に応じて、投入樋、排出樋、及び糠排出管のケーシングへの取付方向を任意に変更できる。これにより、ケーシングの設置レイアウトの自由度が向上する。
【００１１】
しかも、操作パネルは、ケーシング上壁への取付方向がケーシングの前後左右のうちの何れか一方向へ向けて選択可能とされている。したがって、ケーシングの設置条件（設置方向）等に対応して、操作パネルのケーシング上壁への取付方向を、ケーシングの前後左右のうちの選択した一方向に自由に変更できるので、ケーシングの設置条件に係わらず、操作パネルを常に手前側から操作できる。これにより、操作パネルの操作性が向上する。
【００１２】
請求項３に係る発明の研米機は、請求項１記載又は請求項２記載の研米機において、前記操作パネルは、奥側から手前側へ向けて下向きに傾斜している、ことを特徴としている。
【００１３】
請求項３記載の研米機では、操作パネルは、奥側から手前側へ向けて下向きに傾斜している。このため、操作パネルの手前側に立って操作する作業者の目線に対して、操作パネルの上部（スイッチや、例えば、該上部に記載された文字等）が略垂直に配置される。これにより、操作パネルの視認性が良好になり、操作パネルの操作性が一層向上する。
【発明の効果】
【００１４】
以上説明したように、本発明の研米機によれば、操作パネルの操作性が向上する。
【発明を実施するための最良の形態】
【００１５】
図７には、本発明の実施の形態に係る乾式研米機１０の全体構成を前側から見た状態で示す縦断面図が示されている。また、図６には、この乾式研米機１０の全体構成を右側から見た状態で示す縦断面図が示されている。
【００１６】
これらの図に示されるように、乾式研米機１０は、ケーシング１２を備えている。ケーシング１２は、前側壁１２Ａ、後側壁１２Ｂ、左側壁１２Ｃ、右側壁１２Ｄ、及び上壁１２Ｅを備えており、高さ方向に長い箱状に形成されている。このケーシング１２の内部には、研米機構１３が設けられている。研米機構１３は、ケーシング１２の下部側に配設された駆動機構部１４及び送穀処理部１６と、ケーシング１２の上部側に配設された研米処理部１８及び排出部２０とを備えている。さらに、ケーシング１２の上壁１２Ｅには操作パネル１５が取り付けられている。
【００１７】
駆動機構部１４は、乾式研米機１０の高さ方向を軸方向としてケーシング１２の略中央部に配置された回転主軸２２と、この回転主軸２２の下端部に固定された従動プーリ２４と、この従動プーリ２４にベルト２５を介して連結された駆動プーリ２７と、この駆動プーリ２７を駆動回転させる駆動モータ２９と、を主要部として構成されている。
【００１８】
なお、従動プーリ２４は、ケーシング１２の下端部に装着されたハウジング２６内に収容されている。また、ハウジング２６の頂壁部２６Ａはケーシング１２の下端開放部に被嵌されてケーシング１２の底壁部を構成する部分でもあるが、この頂壁部２６Ａの上面には回転主軸２２の下端側を回転自在に軸支する鼓形状の軸受２８が配設されている。さらに、回転主軸２２の上端側は、後述する排出部２０のハウジング５４の頂壁部５４Ｂの上面に配置された軸受３０に回転自在に軸支されている。
【００１９】
一方、送穀処理部１６は、外周部に螺条が設けられた円筒形状の送穀ロール３２と、この送穀ロール３２の外周側に離間して配置された円筒形状の送穀筒３４と、この送穀筒３４と送穀ロール３２との間に形成され米粒（白米）が投入される送穀室３６と、を主要部として構成されている。
【００２０】
送穀ロール３２は回転主軸２２の外周部に固定されており、回転主軸２２が軸線周りに回転（回転方向は図７の回転主軸２２を下から見て時計方向）すると、送穀ロール３２も回転主軸２２と一体に回転する。また、送穀筒３４は軸受２８の上部に固定された支持板３１に下端部が取り付けられており、送穀筒３４の側部下端側には、投入樋３８の下端部が接続されている。投入樋３８は所定角度傾斜した状態で送穀筒３４の側部に連通されており、その入口部にあたる投入口４０（上端部）はケーシング１２の右側壁１２Ｄに形成された矩形の貫通孔３３を介してケーシング１２の右側外方に突出（露出）している。この貫通孔３３は、右側壁１２Ｄに取り付けられた矩形板状の投入樋取付板３５によって閉塞されており、投入樋３８は、この投入樋取付板３５を貫通している。
【００２１】
ここで、送穀筒３４は、支持板３１に対する取付位置を、回転主軸２２周りに９０度毎に変更できるようになっている。また、ケーシング１２の前側壁１２Ａ及び左側壁１２Ｃには、上述した貫通孔３３と同一寸法に形成された貫通孔３７、３９が形成されている。これにより、送穀筒３４の支持板３１に対する取付位置を変更することで、投入樋３８の突出方向をケーシング１２の右側のみならず、前側又は左側にも変更できるようになっている（図５の点線参照。なお、図５では、説明の都合上、後述する排出樋５６の図示を省略してある）。
【００２２】
しかも、図４（Ａ）乃至図４（Ｃ）に示す如く、前側壁１２Ａの貫通孔３７と左側壁１２Ｃの貫通孔３９とは、投入樋取付板３５と同一形状に形成されたメクラ板４１、４３によって閉塞されており、投入樋取付板３５、メクラ板４１、及びメクラ板４３は差し替え（付け替え）可能となっている（取付寸法が同一に形成されている）。すなわち、投入樋３８は、ケーシング１２の前側壁１２Ａ、左側壁１２Ｃ、及び右側壁１２Ｄのうちの何れか１つに選択的に取付可能とされている。
【００２３】
一方、図６及び図７に示す如く、研米処理部１８は、回転主軸２２の軸方向に沿って連続的に配置された複数の研米ブラシ４２と、この研米ブラシ４２の外周側に離間して配置された円筒金網状の除糠筒４４と、研米ブラシ４２と除糠筒４４との間に形成され送穀処理部１６から送られてきた米粒を研米処理する研米処理室４６と、除糠筒４４の外周部に同心円状に配置された円筒形状または多角形状のカバー４８と、除糠筒４４とカバー４８との間に形成された糠室５０と、を主要部として構成されている。
【００２４】
各研米ブラシ４２は、環状に形成されて回転主軸２２に固定される本体部４２Ａと、この本体部４２Ａの外周部に植毛された多数のブラシ４２Ｂと、を含んで構成されている。なお、ブラシ４２Ｂは、一例として６ナイロンφ０．２ｍｍが好適であり、１本１本はストレートではなく縮れているので抜け難く、可撓性がある。また、上記構成の研米ブラシ４２は、複数段積み重ねて使用される。
【００２５】
また、カバー４８及び除糠筒４４の各下端部は、送穀筒３４の上端部に取り付けられており、カバー４８の側壁部分には糠排出管５２の一端部が接続されている。糠排出管５２の他端部は、ケーシング１２の後側壁１２Ｂに形成された矩形の貫通孔５３を介してケーシング１２の後側外方へ突出（露出）しており、図示しないホースを介して吸引装置である図示しないブロワと接続されている。貫通孔５３は、後側壁１２Ｂに取り付けられた矩形板状の糠排出管取付板５５によって閉塞されており、糠排出管５２は、この糠排出管取付板５５を貫通している。
【００２６】
ここで、カバー４８は、送穀筒３４に対する取付位置を、回転主軸２２周りに９０度毎に変更できるようになっている。また、後側壁１２Ｂの貫通孔５３は、前側壁１２Ａの貫通孔３７、左側壁１２Ｃの貫通孔３９、及び右側壁１２Ｄの貫通孔３３と同じ寸法に形成されている。これにより、カバー４８の送穀筒３４に対する取付位置を変更することで、糠排出管５２の突出方向をケーシング１２の後側のみならず、前側、左側、又は右側にも変更できるようになっている（図３の点線参照。なお、図３では、説明の都合上、投入樋３８及び後述する排出樋５６の図示を省略してある）。
【００２７】
しかも、図４（Ａ）乃至図４（Ｄ）に示す如く、糠排出管取付板５５は、前述した投入樋取付板３５、メクラ板４１、及びメクラ板４３と同一寸法に形成されており、糠排出管取付板５５、投入樋取付板３５、メクラ板４１、及びメクラ板４３は差し替え（付け替え）可能となっている（取付寸法が同一に形成されている）。すなわち、糠排出管５２は、ケーシング１２の前側壁１２Ａ、後側壁１２Ｂ、左側壁１２Ｃ、及び右側壁１２Ｄのうちの何れか１つに選択的に取付可能とされている。
【００２８】
一方、図６及び図７に示す如く、排出部２０は、研米処理部１８の上端部に被嵌されるハウジング５４と、このハウジング５４の側部から延出された排出樋５６と、を主要部として構成されている。
【００２９】
ハウジング５４の底壁部５４Ａには研米処理室４６と連通された開口部５８が形成されており、当該開口部５８の周縁部が除糠筒４４及びカバー４８の各上端部に載置されて固定されている。また、ハウジング５４の頂壁部５４Ｂは、最上段の研米ブラシ４２よりも所定距離だけ上方側に離間して配置されている。さらに、排出樋５６は所定角度傾斜した状態で上端部がハウジング５４の側部と連通されており、その出口部にあたる排出口６０（下端部）はケーシング１２の前側壁１２Ａに形成された貫通孔６１を介してケーシング１２の前側外方に突出（露出）している。この貫通孔６１は、前側壁１２Ａに取り付けられた矩形板状の排出樋取付板６３によって閉塞されており、排出樋５６は、この排出樋取付板６３を貫通している。
【００３０】
ここで、ハウジング５４は、除糠筒４４及びカバー４８の各上端部に対する取付位置を、回転主軸２２周りに９０度毎に変更できるようになっている。また、ケーシング１２の左側壁１２Ｃ及び右側壁１２Ｄには、上述した貫通孔６１と同一寸法に形成された貫通孔６５、６７が形成されている。これにより、ハウジング５４の除糠筒４４及びカバー４８に対する取付位置を変更することで、排出樋５６の突出方向をケーシング１２の前側のみならず、左側又は右側にも変更できるようになっている（図２の点線参照。なお、図２では、説明の都合上、投入樋３８の図示を省略してある）。
【００３１】
しかも、図４（Ａ）乃至図４（Ｃ）に示す如く、左側壁１２Ｃの貫通孔６５と右側壁１２Ｄの貫通孔６７とは、排出樋取付板６３と同一形状に形成されたメクラ板６９、７１によって閉塞されており、排出樋取付板６３、メクラ板６９、及びメクラ板７１は差し替え（付け替え）可能となっている（取付寸法が同一に形成されている）。すなわち、排出樋５６は、ケーシング１２の前側壁１２Ａ、左側壁１２Ｃ、及び右側壁１２Ｄのうちの何れか１つに選択的に取付可能とされている。
【００３２】
一方、操作パネル１５は、奥側（図６では後側）から手前側（図６では前側）へ向けて下向きに傾斜したパネル本体１５Ａと、パネル本体１５Ａの左右方向両端縁部及び奥側の端縁部から下側へ向けて延設された側壁部１５Ｂとを有しており、全体としては楔形の箱状に形成されている。この操作パネル１５は、図示しないネジによってケーシング１２の上壁１２Ｅに取り付けられている。
【００３３】
また、パネル本体１５Ａの上部には、駆動モータ２９や図示しないブロワ等を作動させる各種のスイッチ１７が設けられており、これらのスイッチ１７を操作することで研米機構１３及び図示しないブロワが作動するようになっている。
【００３４】
ここで、図１（Ａ）乃至図１（Ｄ）に示す如く、操作パネル１５は、ケーシング１２の上壁１２Ｅへの取付方向が、ケーシング１２の前後左右のうちの何れか一方向へ向けて選択可能とされている。換言すれば、操作パネル１５は、その手前側がケーシング１２の前後左右のうちの選択された一方向を向くように、上壁１２Ｅへの取付方向を変更可能とされている。
【００３５】
次に、本実施の形態の作用について説明する。
【００３６】
上記構成の乾式研米機１０では、操作パネル１５のスイッチ１７を操作することにより、図示しないブロワが作動すると共に駆動機構部１４の駆動モータ２９が作動し、駆動プーリ２７がその軸線回りに駆動回転される。このため、駆動プーリ２７とベルト２５を介して連結された従動プーリ２４が回転し、回転主軸２２をその軸線回り（図７の回転主軸２２を下から見て時計方向）に回転させる。これにより、回転主軸２２と一体化された送穀ロール３２及び複数段の研米ブラシ４２が同一方向へ駆動回転される。
【００３７】
この状態で、精米処理された米粒（白米）が投入口４０から投入される。投入された米粒は投入樋３８に沿って送穀室３６内へ流し込まれた後、送穀ロール３２の螺条３２Ａによって装置上方側へと搬送され、研米処理部１８の研米処理室４６内へ送り込まれる。
【００３８】
研米処理室１８では、研米ブラシ４２の多数のブラシ４２Ｂが米粒の表面を擦ることにより、米粒の表面に付着している糠が擦り取られみがかれていく。このとき発生した糠粉は、除糠筒４４の除糠穴６８から糠室５０へ排出された後、図示しないブロワの吸引力によって糠排出管５２からケーシング１２の外側へ排出される。
【００３９】
上記の如くして研米処理された米粒（研米）は、排出部２０のハウジング５４の開口部５８を通って排出樋５６へ送られ、排出口６０から排出される。以上により、製品たる研米（無洗米）が出来あがる。
【００４０】
ここで、本実施の形態に係る乾式研米機１０では、投入樋３８及び排出樋５６は、ケーシング１２の前側壁１２Ａ、左側壁１２Ｃ、及び右側壁１２Ｄのうちの何れか１つに選択的に取り付けられており、糠排出管５２は、ケーシング１２の前側壁１２Ａ、後側壁１２Ｂ、左側壁１２Ｃ、及び右側壁１２Ｄのうちの何れか１つに選択的に取り付けられている。したがって、本乾式研米機１０（ケーシング１２）を設置する場合には、設置場所の条件に応じて、投入樋３８、排出樋５６、及び糠排出管５２のケーシング１２への取付方向を自由に変更できる。これにより、ケーシング１２の設置レイアウトの自由度が向上すると共に、装置のメンテナンスが容易になる。
【００４１】
しかも、本実施の形態に係る乾式研米機１０では、操作パネル１５は、ケーシング１２の上壁１２Ｅへの取付方向が、ケーシング１２の前後左右のうちの何れか一方向へ向けて選択可能とされている。したがって、ケーシング１２の設置条件（設置方向）等に対応して、操作パネル１５の上壁１２Ｅへの取付方向を、ケーシング１２の前後左右のうちの選択した一方向に変更できるので、ケーシング１２の設置条件に係わらず、操作パネル１５を常に手前側から操作できる。これにより、操作パネル１５の操作性が向上する。
【００４２】
またしかも、この操作パネル１５では、各種のスイッチ１７が設けられるパネル本体１５Ａは、奥側から手前側へ向けて下向きに傾斜している。このため、操作パネル１５の手前側に立って操作する作業者の目線に対して、パネル本体１５Ａ上部（スイッチ１７や、例えば、該上部に記載された文字等）が略垂直に配置される。これにより、操作パネル１５の視認性が良好になり、操作パネル１５の操作性が一層向上する。
【００４３】
なお、上記実施の形態においては、操作パネル１５は、パネル本体１５Ａと側壁部１５Ｂとを備えた構成としたが、これに限らず、側壁１５Ｂを省略する構成としてもよい。この場合、例えば、パネル本体１５Ａの手前側とケーシング１２の上壁１２Ｅとをヒンジを介して連結する構成とすれば、パネル本体１５Ａ（操作パネル１５）の傾斜角度を自由に変更できる。
【００４４】
また、上記実施の形態においては、操作パネル１５は、図示しないネジによってケーシング１２の上壁１２Ｅに取り付けられる構成としたが、これに限らず、例えば、操作パネル１５の裏側（上壁１２Ｅと対向する側）に上壁１２Ｅに対して垂直な支軸を設けると共に、ケーシング１２の上壁１２Ｅよってこの支軸を回転可能に支持させる構成とすれば、操作パネル１５を上壁１２Ｅに対して垂直軸回り（支軸回り）に回転させることで操作パネル１５の向きを変更できる。
【図面の簡単な説明】
【００４５】
【図１】本発明の実施の形態に係る乾式研米機の構成を示し、（Ａ）は操作パネルがその手前側をケーシングの前側に向けてケーシングに取り付けられた状態を示す斜視図であり、（Ｂ）は操作パネルがその手前側をケーシングの後側に向けてケーシングに取り付けられた状態を示す斜視図であり、（Ｃ）は操作パネルがその手前側をケーシングの左側に向けてケーシングに取り付けられた状態を示す斜視図であり、（Ｄ）は操作パネルがその手前側をケーシングの右側に向けてケーシングに取り付けられた状態を示す斜視図である。
【図２】本発明の実施の形態に係る乾式研米機の構成部材である排出樋のケーシングに対する取付方向を示す上面図である。
【図３】本発明の実施の形態に係る乾式研米機の構成部材である糠排出管のケーシングに対する取付方向を示す上面図である。
【図４】本発明の実施の形態に係る乾式研米機の構成を示し、（Ａ）は乾式研米機を左側から見た状態で示す側面図であり、（Ｂ）は乾式研米機を前側から見た状態で示す側面図であり、（Ａ）は乾式研米機を右側から見た状態で示す側面図であり、（Ａ）は乾式研米機を後側から見た状態で示す側面図である。
【図５】本発明の実施の形態に係る乾式研米機の構成部材である投入樋のケーシングに対する取付方向を示す上面図である。
【図６】本発明の実施の形態に係る乾式研米機の構成を右側から見た状態で示す縦断面図である。
【図７】本発明の実施の形態に係る乾式研米機の構成を前側から見た状態で示す縦断面図である。
【符号の説明】
【００４６】
１０      乾式研米機（研米機）
１２      ケーシング
１２Ａ    前側壁
１２Ｂ    後側壁
１２Ｃ    左側壁
１２Ｄ    右側壁
１２Ｅ    上壁
１３      研米機構
１５      操作パネル
１７      スイッチ
３８      投入樋
５２      糠排出管
５６      排出樋
【図１】
2006081981.tif 000003
【図２】
2006081981.tif 000004
【図３】
2006081981.tif 000005
【図４】
2006081981.tif 000006
【図５】
2006081981.tif 000007
【図６】
2006081981.tif 000008
【図７】
2006081981.tif 000009